(57)【要約】      （修正有）【課題】換気装置に赤外検出手段を設け、赤外リモコンからの停止を受信すると、一定の時間だけファンモーターを運転し、その後停止をする。【解決手段】制御手段１はファンモーター２と商用電源３と赤外リモコンから送信される赤外線を検出する赤外線検出手段４に接続されている。上記構成において、前記赤外リモコンから送信された運転信号または停止信号により、前記制御手段１は前記ファンモーター２を運転または停止の制御を行い、前記制御手段１は停止信号を受信すると１０分間運転を継続し、その後停止となる。【選択図】図１
2008281224.tif 000002
【特許請求の範囲】
【請求項１】
室内の空気を排出するファンモーターと、赤外線を送出する赤外リモコン、前記赤外リモコンからの赤外線を検出する赤外検出手段と、前記赤外検出手段からの信号を受信しファンモーターの通電を制御する制御手段を有する換気装置であって、前記赤外リモコンから停止信号が送信されると前記換気装置の赤外検出手段が受信し、一定の時間だけファンモーターを運転し、その後停止をすることを特徴とした換気装置。
【請求項２】
赤外リモコンは、前記赤外リモコンの赤外線の送出をＯＮ／ＯＦＦするスイッチと、前記スイッチをＯＮしている間赤外線を送出するのみの構成機能を備えた請求項１記載の換気装置。
【請求項３】
赤外リモコンは、スイッチをＯＮしている間、赤外線を送出するだけでよく簡単な回路構成により小型で軽量である形状を特徴とした請求項２記載のリモコン。
【請求項４】
赤外リモコンは前記赤外リモコンなどの専用の赤外リモコンだけではなく、一般の人為的なパルス間隔を持つ赤外リモコンでも赤外検出手段が信号を受信すると特定の時間だけファンモーターを運転しその後停止をするようにしたことを特徴とした請求項１記載の換気装置。
【請求項５】
制御手段に赤外信号を読込む赤外信号読込みスイッチを設け、特定の赤外信号を読込むとき、前記読込みスイッチをＯＮして、ＯＮしている間に赤外検出手段が受信した赤外信号を記憶手段に記憶し、記憶した赤外信号を受信したときには、特定の時間だけファンモーターを運転することを特徴とした請求項１または４記載の換気装置。
【請求項６】
赤外リモコンに環境を検知するセンサーを設け、前記センサーの検出した信号により、ファンモーターを運転または停止することを特徴とした請求項１記載の換気装置。
【請求項７】
赤外リモコンに、人を検知する人感センサーを設け、人の検出により赤外線信号を送信し、運転または停止することを特徴とした請求項１記載の換気装置。
【請求項８】
赤外リモコンに温度を検出するセンサーを設け所定温度以上になると赤外線信号を送信し、また、所定温度以下になると赤外線信号の送信を停止することによりファンモーターの運転または停止することを特徴とした請求項１記載の換気装置。
【請求項９】
赤外リモコンにアンモニアを検出するセンサーを設け、所定アンモニアの濃度以上になると赤外線信号を送信し、また、所定アンモニア濃度以下になると赤外線信号の送信を停止することによりファンモーターの運転または停止することを特徴とした請求項１記載の換気装置。
【請求項１０】
赤外リモコンに煙を検出するセンサーを設け、所定煙の濃度以上になると赤外線信号を送信し、また、所定煙の濃度以下になると赤外線信号の送信を停止することによりファンモーターの運転または停止することを特徴とした請求項１記載の換気装置。
【請求項１１】
赤外リモコンに二酸化炭素を検出するセンサーを設け、所定二酸化炭素の濃度以上になると赤外線信号を送信し、また、所定二酸化炭素の濃度以下になると赤外線信号を停止することによりファンモーターの運転または停止することを特徴とした請求項１記載の換気装置。
【請求項１２】
赤外リモコンに一酸化炭素を検出するセンサーを設け、所定一酸化炭素の濃度以上になると赤外線信号を送信し、また、所定一酸化炭素の濃度以下になると赤外線信号の送信を停止することにより、ファンモーターの運転または停止することを特徴とした請求項１記載の換気装置。
【請求項１３】
赤外リモコンにホルムアルデヒドを検出するセンサーを設け、所定ホルムアルデヒドの濃度以上になると赤外線信号を送信し、また、所定ホルムアルデヒドの濃度以下になると赤外線信号の送信を停止することにより、ファンモーターの運転または停止することを特徴とした請求項１記載の換気装置。
【請求項１４】
赤外リモコンに粉塵を検出するセンサーを設け、所定粉塵量以上になると赤外線信号を送信し、また、所定粉塵量以下になると赤外線信号の送信を停止することにより、ファンモーターの運転または停止することを特徴とした請求項１記載の換気装置。
【請求項１５】
赤外リモコンに湿度を検出するセンサーを設け、所定湿度以上の値により赤外線信号を送信し、また、所定湿度以下の値になると赤外線信号の送信を停止することにより、ファンモーターの運転または停止することを特徴とした請求項１記載の換気装置。
【請求項１６】
赤外リモコンに光センサーを設け照明のＯＮを検出することにより赤外線信号を送信し、また、照明のＯＦＦを検出すると赤外線信号の送信を停止することにより、ファンモーターの運転または停止することを特徴とした請求項１記載の換気装置。
【請求項１７】
赤外リモコンにガスセンサーを設け、ガスを検出すると赤外線信号を送信し、また、ガスを非検出すると赤外線信号を停止することにより、ファンモーターの運転または停止することを特徴とした請求項１記載の換気装置。
【発明の詳細な説明】
【技術分野】
【０００１】
本発明は、室内の換気を行う換気扇に関するものである。
【背景技術】
【０００２】
従来、この種の換気装置は、赤外リモコンにより操作に連動して運転や停止を行うものであった（例えば、特許文献１参照）。以下、その構成について図１７を参照しながら説明する。
【０００３】
図１７に示すように、赤外リモコン１０１にはスイッチ操作部１０２と赤外線送信部１０３を設け、換気装置１０４には赤外線検出手段１０５を設け、赤外リモコン１０１の信号に連動して運転または停止を行う換気装置を構成していた。
【特許文献１】特開平５−３２２１７２号公報
【発明の開示】
【発明が解決しようとする課題】
【０００４】
しかしながらこのような換気装置においては、停止するとき、赤外リモコンの信号を受信すると直ちに連動して停止することになり十分に室内が換気できない状態で換気装置が停止してしまうといった課題があった。
【０００５】
本発明は、上記課題を解決するもので、赤外リモコンの停止のスイッチ操作を行っても直ぐに換気装置が連動するのではなく、一定時間経過した後に停止することで快適環境を創ることができる換気装置を提供することを目的としている。
【０００６】
また、赤外リモコンから送信される信号形態は、赤外線を送信または赤外線の停止のみであり、マイコンなどを使用して、複雑な信号形態にする必要がなくスイッチと電池と赤外ＬＥＤと抵抗で簡単な送信回路で構成し低コストの赤外リモコンを備えた換気装置を提供することを目的としている。
【０００７】
また、赤外リモコンから赤外線を送出または赤外線の停止のみであり、簡単な通信回路構成であり、小型化で軽量の赤外リモコンを提供することを目的としている。
【０００８】
また、赤外リモコンは、従来換気扇専用のリモコンが一般であり、他メーカのリモコンまたは他商品のリモコンで動作することはなく、家庭でのリモコンの数の増加すると共に商品に対するリモコンの区別が分かり難くいと言う課題があった。
【０００９】
本発明は、上記課題を解決するもので、人為的なパルス間隔を持つ、どのような赤外リモコンでも換気装置に赤外信号を受信すると運転または停止し、さらに停止するときは、一定時間経過した後に停止する換気装置を提供することを目的としている。
【００１０】
また、赤外リモコンは、従来換気扇専用のリモコンが一般であり、他メーカのリモコンまたは他商品のリモコンで動作することはなく家庭でのリモコンの数の増加すると共に商品に対するリモコンの区別が分かり難くいと言う課題が有った。
【００１１】
本発明は、上記課題を解決するもので、他メーカの赤外信号を読み込み、その信号を記憶し、記憶された信号を受信したときのみ運転または停止し、さらに停止するときは、一定時間経過した後に停止する換気装置を提供することを目的としている。
【００１２】
また、室内の空気の状態により換気することが要求されている。
【００１３】
本発明は赤外リモコン内にセンサーを設け、センサーの検出信号により換気装置に赤外信号を送信する換気装置を提供することを目的としている。
【００１４】
また、従来の換気装置では、室内に人がいることにより室内の空気を換気することが要求されている。
【００１５】
本発明は、このような従来の課題を解決するものであり、赤外リモコン内に人感センサーを設け、人感センサーにより人が入室または出室したことを検出して、換気装置に赤外信号を送信する換気装置を提供することを目的としている。
【００１６】
また、従来の換気装置では、室内の温度が上昇すると室内の温度を下げるために換気することが要求されている。
【００１７】
本発明は、このような従来の課題を解決するものであり温度センサーを赤外リモコン内に設け、温度センサーにより室内の温度を検出して指定された温度以上になると、換気装置に赤外信号を送信する換気装置を提供することを目的としている。
【００１８】
また、従来の換気装置では、室内のアンモニア濃度が上昇すると室内のアンモニア濃度を下げるために換気することが要求されている。
【００１９】
本発明は、このような従来の課題を解決するものでありアンモニアセンサーを赤外リモコンに設け、アンモニアセンサーにより室内にアンモニアを検出して所定の濃度以上になると、換気装置に赤外信号を送信する換気装置を提供することを目的としている。
【００２０】
また、従来の換気装置では、室内で喫煙すると煙や臭いなどを屋外に排気するため換気することが要求されている。
【００２１】
本発明は、このような従来の課題を解決するものであり煙センサーを赤外リモコン内に設け、煙センサーにより室内の煙を検出すると、換気装置に赤外信号を送信する換気装置を提供することを目的としている。
【００２２】
また、従来の換気装置では、室内の二酸化炭素濃度が上昇すると室内の二酸化炭素濃度を下げるために換気することが要求されている。
【００２３】
本発明は、このような従来の課題を解決するものでありＣＯ2センサーを赤外リモコン内に設け、ＣＯ2センサーにより室内の二酸化炭素を検出して所定の濃度以上になると、換気装置に赤外信号を送信する換気装置を提供することを目的としている。
【００２４】
また、従来の換気装置では、室内の一酸化炭素濃度が上昇すると室内の一酸化炭素濃度を下げるために換気することが要求されている。
【００２５】
本発明は、このような従来の課題を解決するものでありＣＯセンサーを赤外リモコン内に設け、ＣＯセンサーにより室内の一酸化炭素を検出して所定の濃度以上になると、換気装置に赤外信号を送信する換気装置を提供することを目的としている。
【００２６】
また、従来の換気装置では、室内のホルムアルデヒド濃度が上昇すると室内のホルムアルデヒド濃度を下げるために換気することが要求されている。
【００２７】
本発明は、このような従来の課題を解決するものでありＶＯＣセンサーを赤外リモコン内に設け、ＶＯＣセンサーにより室内のＶＯＣを検出して所定の濃度以上になると、換気装置に赤外信号を送信する換気装置を提供することを目的としている。
【００２８】
また、従来の換気装置では、室内の粉塵が指定された以上になるとすると室内の粉塵を下げるために換気することが要求されている。
【００２９】
本発明は、このような従来の課題を解決するものであり粉塵センサーを赤外リモコン内に設け、粉塵センサーにより室内の粉塵量を検出して指定された粉塵以上になると、換気装置に赤外信号を送信する換気装置を提供することを目的としている。
【００３０】
また、従来の換気装置では、室内の湿度が指定された湿度以上になるとすると室内の湿度を下げるために換気することが要求されている。
【００３１】
本発明は、このような従来の課題を解決するものであり湿度センサーを赤外リモコン内に設け、湿度センサーより室内の湿度を検出して指定された湿度以上になると、換気装置に赤外信号を送信する換気装置を提供することを目的としている。
【００３２】
また、従来の換気装置では、室内の照明が点灯すると換気することが要求されている。
【００３３】
本発明は、このような従来の課題を解決するものであり光センサーを赤外リモコン内に設け、光センサーにより室内の照明のＯＮ／ＯＦＦに合わせて、換気装置に赤外信号を送信する換気装置を提供することを目的としている。
【００３４】
また、従来の換気装置では、室内のガス発生した場合に換気することが要求されている。
【００３５】
本発明は、このような従来の課題を解決するものであり、ガスセンサーを赤外リモコン内に設け、ガスセンサーにより室内のガス検出をすると、換気装置に赤外信号を送信する換気装置を提供することを目的としている。
【課題を解決するための手段】
【００３６】
本発明の換気装置は上記目的を達成するために、赤外リモコンからの停止信号を受信すると一定時間だけファンモーターを運転し、その後停止するものである。
【００３７】
この手法により室内の換気を行い、快適環境を創ることができる。
【００３８】
また、本発明は、赤外リモコンの赤外送信回路をスイッチや電池や赤外ＬＥＤや抵抗などの簡単な回路にするものである。
【００３９】
この手段により低コストの赤外リモコンを備えた換気装置が得られる。
【００４０】
また、本発明は、赤外リモコンの赤外送信回路を簡単な回路にするものである。
【００４１】
この手段により、赤外リモコンの小型化および軽量化することができる赤外リモコンが得られる。
【００４２】
また、本発明は、専用の赤外リモコンたけでなく、他メーカまたは他商品の赤外リモコンを使用するものである。
【００４３】
この手段により、家庭での赤外リモコンの個数を低減できる。
【００４４】
また、本発明は、換気装置の専用赤外リモコンだけでなく、他メーカまたは他商品の赤外リモコンの赤外信号を記憶し、記憶された赤外リモコンの赤外信号のみに反応するものである。
【００４５】
この手段により、特定の赤外リモコンの赤外線データーのみに反応する換気装置を制御できる。
【００４６】
また、赤外リモコンにセンサーを設けるものである。
【００４７】
この手段により、赤外リモコン周辺の快適環境を創ることができる換気装置が得られる。
【００４８】
また、本発明は、赤外リモコンに人感センサーを設けるものである。
【００４９】
この手段により室内に人がいることを検知し、室内の空気を換気することができる換気装置が得られる。
【００５０】
また、本発明は、赤外リモコンに温度センサーを設けるものである。
【００５１】
この手段により室内の温度を検出し、指定された温度により室内の空気を換気することができる換気装置が得られる。
【００５２】
また、本発明は、赤外リモコンにアンモニアセンサーを設けるものである。
【００５３】
この手段により室内のアンモニア量を検出し、指定されたアンモニア量以上により室内の空気を換気することができる換気装置が得られる。
【００５４】
また、本発明は、赤外リモコンに煙センサーを設けるものである。
【００５５】
この手段により室内の煙を検出すると室内の空気を換気することができる換気装置が得られる。
【００５６】
また、本発明は、赤外リモコンにＣＯ2センサーを設けるものである。
【００５７】
この手段により室内の二酸化炭素を検出し、指定された二酸化炭素量以上により室内の空気を換気することができる換気装置が得られる。
【００５８】
また、本発明は、赤外リモコンにＣＯセンサーを設けるものである。
【００５９】
この手段により室内の一酸化炭素量を検出し、指定された一酸化炭素量以上により室内の空気を換気することができる換気装置が得られる。
【００６０】
また、本発明は、赤外リモコンにＶＯＣセンサーを設けるものである。
【００６１】
この手段により室内のホルムアルデヒドの量を検出し、指定されたホルムアルデヒド量以上により室内の空気を換気することができる換気装置が得られる。
【００６２】
また、本発明は、赤外リモコンに粉塵センサーを設けるものである。
【００６３】
この手段により室内の粉塵を検出し、粉塵量により室内の空気を換気することができる換気装置が得られる。
【００６４】
また、本発明は、赤外リモコンに湿度センサーを設けるものである。
【００６５】
この手段により室内の湿度を検出し、指定された湿度以上により室内の空気を換気することができる換気装置が得られる。
【００６６】
また、本発明は、赤外リモコンに光センサーを設けるものである。
【００６７】
この手段により室内の照明のＯＮ／ＯＦＦを検出し、室内の空気を換気することができる換気装置が得られる。
【００６８】
また、本発明は、赤外リモコンにガスセンサーを設けるものである。
【００６９】
この手段により室内の照明のガスを検出し、室内の空気を換気することができる換気装置が得られる。
【発明の効果】
【００７０】
本発明によれば、停止信号を受信してから一定時間だけファンモーターを運転し、その後停止することにより、室内の快適環境を創ることができる。
【００７１】
また、本発明によれば、赤外線を簡単な回路で送信することにより低コストの赤外リモコンを備えた換気装置を提供できる。
【００７２】
また、本発明によれば、赤外線を簡単な回路で送信することにより赤外リモコンの小型化および軽量化することができる赤外リモコンを提供できる。
【００７３】
また、本発明によれば、専用の赤外リモコンたけでなく、他メーカまたは他商品の赤外リモコンを使用するものであり、家庭での赤外リモコンの個数を低減できる換気装置を提供できる。
【００７４】
また、本発明によれば、換気装置の専用の赤外リモコンたけでなく、他メーカまたは他商品の赤外リモコンの赤外信号を記憶し、記憶された赤外リモコンの赤外信号のみに反応する換気装置を提供できる。
【００７５】
また、赤外リモコンにセンサーを設けるものであり、赤外リモコン周辺の快適環境を創ることができる換気装置が提供できる。
【００７６】
また、本発明によれば室内にいる人を検出し、室内の空気を換気することができる換気装置を提供できる。
【００７７】
また、本発明によれば室内の温度を検出し、指定された温度以上になると室内の空気を換気することができる換気装置を提供できる。
【００７８】
また、本発明によれば室内のアンモニアを検出し、指定された量以上のアンモニアを検出すると室内の空気を換気することができる換気装置を提供できる。
【００７９】
また、本発明によれば室内の煙を検出し、煙を検出すると室内の空気を換気することができる換気装置を提供できる。
【００８０】
また、本発明によれば室内の二酸化炭素を検出し、指定された二酸化炭素量以上になると室内の空気を換気することができる換気装置を提供できる。
【００８１】
また、本発明によれば室内の一酸化炭素を検出し、指定された一酸化炭素量以上になると室内の空気を換気することができる換気装置を提供できる。
【００８２】
また、本発明によれば室内のホルムアルデヒドを検出し、指定された量以上のホルムアルデヒドを検出すると室内の空気を換気することができる換気装置を提供できる。
【００８３】
また、本発明によれば室内の粉塵を検出し、指定された粉塵量以上になると室内の空気を換気することができる換気装置を提供できる。
【００８４】
また、本発明によれば室内の湿度を検出し、指定された湿度以上になると室内の空気を換気することができる換気装置を提供できる。
【００８５】
また、本発明によれば室内の照明のＯＮ／ＯＦＦを検出し、ＯＮ／ＯＦＦの状況により室内の空気を換気することができる換気装置を提供できる。
【００８６】
また、本発明によれば室内の有害なガスを検出し、室内の空気を換気することができる換気装置を提供できる。
【発明を実施するための最良の形態】
【００８７】
本発明の請求項１記載の発明は、室内の空気を排出するファンモーターと、赤外線を送出する赤外リモコン、前記赤外リモコンからの赤外線を検出する赤外検出手段と、前記赤外検出手段からの信号を受信しファンモーターの通電を制御する制御手段を有する換気装置であって、前記赤外リモコンから停止信号が送信されると前記換気装置の赤外検出手段が受信し、一定の時間だけファンモーターを運転し、その後停止をすることにより、十分に室内が換気され、快適環境を創るという作用を有する。
【００８８】
また、赤外リモコンは、前記赤外リモコンの赤外線の送出をＯＮ／ＯＦＦするスイッチと、前記スイッチをＯＮしている間赤外線を送出するのみの構成機能を備えたことで、例えば、スイッチと電池と赤外ＬＥＤと抵抗で構成できる簡単な回路のみでよく、低コストと部品点数が少なく信頼性の高い赤外リモコンが得られるという作用を有する。
【００８９】
また、赤外リモコンは、スイッチをＯＮしている間、赤外線を送出するだけでよく、簡単な回路構成により小型で軽量な赤外リモコンが得られるという作用を有する。
【００９０】
また、赤外リモコンは前記赤外リモコンなどの専用の赤外リモコンだけではなく、一般の人為的なパルス間隔を持つ赤外リモコンでも赤外検出手段が信号を受信すると特定の時間だけファンモーターを運転しその後停止をするようにしたことを特徴としたもので、専用の赤外リモコンだけではなく、ＴＶあるいはエアコンなどの一般の赤外リモコンでも赤外検出手段が信号を受信すると、一定の時間だけファンモーターを運転し、その後停止をすることにより、快適環境を創る作用を有する。
【００９１】
また、制御手段に赤外信号を読込む赤外信号読込みスイッチを設け、特定の赤外信号を読込むとき、前記読込みスイッチをＯＮして、ＯＮしている間に赤外検出手段が受信した赤外信号を記憶手段に記憶し、記憶した赤外信号を受信したときには、特定の時間だけファンモーターを運転することにより、ＴＶあるいはエアコンなどの機器の一般の赤外リモコンの赤外信号を読み取り記憶し、その記憶された機器の特定の信号を受信すると、一定の時間だけファンモーターを運転し、その後停止をすることにより、快適環境を創る作用を有する。
【００９２】
また、赤外リモコンに環境を検出するセンサーを設け、前記センサーの検出した信号により、ファンモーターを運転または停止することにより、前記赤外リモコン周辺の快適環境を創る作用を有する。
【００９３】
また、前記赤外リモコンに人を検出する人感センサーを設け、人の検知により赤外線信号を送信し、運転または停止することにより、快適環境を創る作用を有する。
【００９４】
また、前記赤外リモコンに温度を検出するセンサーを設け所定温度以上になると赤外線信号を送信し、また所定温度以下になると赤外線信号の送信を停止することによりファンモーターの運転または停止することにより、快適環境を創る作用を有する。
【００９５】
また、前記赤外リモコンにアンモニアを検出するセンサーを設け、所定のアンモニア濃度以上になると赤外線信号を送信し、また、所定のアンモニア濃度以下になると赤外線信号の送信を停止することによりファンモーターの運転または停止することにより、快適環境を創る作用を有する。
【００９６】
また、前記赤外リモコンに煙を検出するセンサーを設け、所定の煙の濃度以上になると赤外線信号を送信し、また、所定の煙の濃度以下になると赤外線信号の送信を停止することによりファンモーターの運転または停止することにより、快適環境を創る作用を有する。
【００９７】
また、前記赤外リモコンに二酸化炭素を検出するセンサーを設け、所定の二酸化炭素の濃度以上になると赤外線信号を送信し、また、所定の二酸化炭素の濃度以下になると赤外線信号を停止することによりファンモーターの運転または停止することにより、快適環境を創る作用を有する。
【００９８】
また、前記赤外リモコンに一酸化炭素を検出するセンサーを設け、所定の一酸化炭素の濃度以上になると赤外線信号を送信し、また、所定の一酸化炭素の濃度以下になると赤外線信号の送信を停止することにより、ファンモーターの運転または停止することにより、快適環境を創る作用を有する。
【００９９】
また、前記赤外リモコンにホルムアルデヒドを検出するセンサーを設け、所定のホルムアルデヒドの濃度以上になると赤外線信号を送信し、また、所定のホルムアルデヒドの濃度以下になると赤外線信号の送信を停止することにより、ファンモーターの運転または停止することにより、快適環境を創る作用を有する。
【０１００】
また、前記赤外リモコンに粉塵を検出するセンサーを設け、所定の粉塵量以上になると赤外線信号を送信し、また、所定の粉塵量以下になると赤外線信号の送信を停止することにより、ファンモーターの運転または停止することにより、快適環境を創る作用を有する。
【０１０１】
また、前記赤外リモコンに湿度を検出するセンサーを設け、所定の湿度以上の値により赤外線信号を送信し、また、所定の湿度以下の値になると赤外線信号の送信を停止することにより、ファンモーターの運転または停止することにより、快適環境を創る作用を有する。
【０１０２】
また、前記赤外リモコンに光センサーを設け照明のＯＮを検出することにより赤外線信号を送信し、また、照明のＯＦＦを検出すると赤外線信号の送信を停止することにより、ファンモーターの運転または停止することにより、快適環境を創る作用を有する。
【０１０３】
また、前記赤外リモコンにガスセンサーを設け、ガスを検出すると赤外線信号を送信し、また、ガスを非検出すると赤外線信号を停止することにより、ファンモーターの運転または停止することにより、快適環境を創る作用を有する。
【０１０４】
（実施の形態１）
図１に示すように制御手段１はファンモーター２と商用電源３と赤外リモコン１０１から送信される赤外線を検出する赤外線検出手段４に接続されている。赤外線検出手段４としては、赤外線が検出できればよく、例えば、赤外受光素子などがある。
【０１０５】
上記構成において、赤外リモコン１０１から送信された運転信号または停止信号により、制御手段１は、前記ファンモーター２を運転または停止の制御を行い、前記制御手段１は停止信号を受信すると１０分間運転を継続し、その後停止する。制御手段１としては、上記制御内容がプログラムされたマイコンなどがある。
【０１０６】
なお、運転継続時間を１０分間と定めたが、室内の大きさや室内の汚れ具合により変化させることにより、さらに効果が得られる。
【０１０７】
なお、前記制御手段１としては、前記ファンモーター２に電源を供給するためのリレーやトライアックと前記赤外線検出手段４からの信号を受信し、運転時間の継続を制御するマイコンを搭載した基板である。
【０１０８】
（実施の形態２）
実施の形態１と同一部分は同一符号を附し詳細な説明は省略する。図２は赤外リモコン１０１の回路を示し、電池５のプラス側に赤外ＬＥＤ６のアノードを接続し、ＬＥＤ６のカソード側は、抵抗７に接続され、抵抗７はスイッチ８に接続され、さらに乾電池５のマイナス側に接続されている。
【０１０９】
上記構成において、スイッチ８が押されると赤外ＬＥＤ６が点灯して赤外線９を送信し、換気装置１０４は、その赤外線９を検出する毎に運転と停止の動作を繰り返す。
【０１１０】
（実施の形態３）
実施の形態１、２と同一部分は同一符号を附し詳細な説明は省略する。図２に示すように、赤外リモコン１０１の回路が簡単であるため、小型化および軽量化することができる。例えばペンライトの中に回路を構成し、赤外リモコンとして使用するなどがある。
【０１１１】
（実施の形態４）
実施の形態１乃至３と同一部分は同一符号を附し詳細な説明は省略する。図３に示すように前記制御手段１は前記ファンモーター２と前記商用電源３とテレビのリモコンやエアコンのリモコンなどの赤外信号のデータが異なる他商品赤外リモコン１０から送信される赤外線を検出する赤外線検出手段４に接続されている。
【０１１２】
上記構成において、前記他商品赤外リモコン１０から送信されたさまざまなビット構成の赤外不特定データーの赤外信号つまり明らかに自然界にないビット構成の赤外信号を前記赤外線検出手段４が検出し、その赤外信号を制御手段１が受信すると前記ファンモーター２を運転または停止の制御を行い、前記制御手段１は停止信号を受信すると１０分間運転を継続し、その後停止となり、さらに前記他商品赤外リモコン１０から不特定データーの赤外信号を前記赤外線検出手段４が検出し、その信号を制御手段１が受信すると運転動作となり、次に不特定データーの赤外信号を受信すると停止動作となる。つまり換気装置１０４は赤外信号を受信する毎に運転と停止の動作を繰り返す。
【０１１３】
（実施の形態５）
実施の形態１乃至４と同一部分は同一符号を附し詳細な説明は省略する。図４に示すように、前記制御手段１は前記ファンモーター２と前記商用電源３と読み込みスイッチ１１と記憶装置１２と前記他商品赤外リモコン１０から送信される赤外線を検出する赤外線検出手段４に接続されている。
【０１１４】
上記構成において、プッシュスイッチなどを使用した赤外線データーを読み込むための読み込みスイッチ１１を押しながら、テレビのリモコンやエアコンのリモコンなどの赤外信号の異なる他商品赤外リモコン１０の特定なスイッチを押すと、他商品赤外リモコン１０は特定なスイッチが持つ固有のデーターを赤外信号として送信し、赤外線検出手段４はスイッチが持つ固有のデーターの赤外信号を検出し、その赤外信号を制御手段１が受信すると、スイッチが持つ固有の赤外信号をメモリなどの記憶装置１２にスイッチが持つ固有の赤外信号を記憶し、読み込みスイッチ１１を放すと、次からは赤外受信手段４が赤外信号を受信するとメモリなどの記憶装置１２に記憶された赤外信号と比較して同じ赤外信号以外の赤外信号を受信したときは無視し、記憶された赤外信号を受信する毎に運転と停止の動作を繰り返す。
【０１１５】
なお記憶装置１２は、赤外信号のデーターを記憶するためにＲＯＭやＲＡＭやＥＥＰＲＯＭを搭載きた基板などである。
【０１１６】
（実施の形態６）
実施の形態１乃至５と同一部分は同一符号を附し詳細な説明は省略する。図５に示すように、赤外リモコン２８内部に設けたマイコン１３にセンサー１４と赤外信号を送出する赤外送信手段１５とＯＮ／ＯＦＦスイッチ１６が接続されている。
【０１１７】
上記構成により、前記センサー１４の出力信号を前記マイコン１３に入力され、前記マイコン１３はその信号から判断し換気装置１０４に対し赤外送信手段１５から赤外信号２９を送信するか判断すると共にＯＮ／ＯＦＦスイッチ１６が押されても赤外信号２９を送信する。
【０１１８】
なお、ＯＮ／ＯＦＦスイッチ１６は１個のスイッチで送信する毎に換気装置１０４は運転と停止を繰り返すが、ＯＮスイッチとＯＦＦスイッチを別々に設け、運転信号と停止信号を明確に分離することも同様の効果が得られる。
【０１１９】
（実施の形態７）
実施の形態１乃至６と同一部分は同一符号を附し詳細な説明は省略する。図６に示すように、赤外リモコン２８内部に設けたマイコン１３に、焦電センサ−などの人を検知する人感センサー１７と赤外信号を送出する赤外送信手段１５とＯＮ／ＯＦＦスイッチ１６が接続されている。
【０１２０】
上記構成により、前記人感センサー１７の信号を前記マイコン１３が赤外リモコン２８周辺に人がいることを確認すると前記マイコン１３は前記赤外送信手段１５に信号を送信し、前記赤外送信手段１５は換気装置１０４に対し赤外信号２９を送信する。さらに前記人感センサー１７が室内に人がいないことを検知すると前記マイコン１３は、前記赤外送信手段１５に信号を送信し、前記赤外送信手段１５は換気装置１０４に対し赤外信号２９を送信し、前記換気装置１０４は、赤外信号２９を受信する毎に運転と停止の動作を繰り返す。
【０１２１】
なお、人感センサー１７が室内に人のいないことを検知してから例えば１０分間、人がいない場合のみ赤外送信手段１５が赤外信号２９を送信する。つまり偶数回数目の赤外信号２９を送信するときは確実に人がいないことを確認してから赤外信号２９を送信する。
【０１２２】
なお、赤外送信手段１５は、赤外線を送信するだけで良く、赤外ＬＥＤと抵抗とトランジスターが搭載されている基板ある。
【０１２３】
（実施の形態８）
実施の形態１乃至７と同一部分は同一符号を附し詳細な説明は省略する図７に示すように、赤外リモコン２８内部に設けたマイコン１３に温度センサー１８と赤外信号を送出する赤外送信手段１５とＯＮ／ＯＦＦスイッチ１６が接続されている。
【０１２４】
上記構成により、前記温度センサー１８の信号を前記マイコン１３が室内の温度を検出し、検出温度が２８℃以上になると、前記マイコン１３は前記赤外送信手段１５に信号を送信し、前記赤外送信手段１５は換気装置１０４に対し赤外信号２９を送信すると換気装置１０４は運転し、検出温度が２６℃以下になると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１２５】
なお、温度センサー１８は温度を検出できればよく、一例としてサーミスターを用い温度検出を行う。
【０１２６】
なお、検出温度の２８℃と２６℃は一例であり、室内の大きさやファンによる風量により異なる。
【０１２７】
（実施の形態９）
実施の形態１乃至８と同一部分は同一符号を附し詳細な説明は省略する図８に示すように、赤外リモコン２８内部に設けたマイコン１３にアンモニアセンサー１９と赤外信号を送出する赤外送信手段１５とＯＮ／ＯＦＦスイッチ１６が接続されている。
【０１２８】
上記構成により、前記アンモニアセンサー１９の信号を前記マイコン１３が室内のアンモニア量を検出し、検出濃度が１ｐｐｍ以上になると、前記マイコン１３は赤外送信手段１５に信号を送信し、赤外送信手段１５は換気装置１０４に対し赤外信号２９を送信すると換気装置１０４は運転し、検出濃度が１ｐｐｍ以下になると前記マイコン１３は前記赤外送信手段１５に信号を送信し、赤外送信手段１５は換気装置１０４に対し赤外信号２９を送信すると換気装置１０４は停止することとなり、換気装置１０４は赤外信号２９を受信する毎に運転と停止の動作を繰り返す。
【０１２９】
なお、アンモニアセンサー１９は、室内のアンモニアの量を測定できればよく、一例として電量滴定型のアンモニアセンサーでもよい。
【０１３０】
なお、アンモニア検出濃度を一例としてビル管理法の１ｐｐｍとしたが、さまざまな環境により異なった値とする。
【０１３１】
（実施の形態１０）
実施の形態１乃至９と同一部分は同一符号を附し詳細な説明は省略する図９に示すように、赤外リモコン２８内部に設けたマイコン１３に煙センサー２０と赤外信号を送出する赤外送信手段１５とＯＮ／ＯＦＦスイッチ１６が接続されている。
【０１３２】
上記構成により、前記煙センサー２０の信号を前記マイコン１３が室内の煙を検出ると、前記マイコン１３は前記赤外送信手段１５に信号を送信し、前記赤外送信手段１５は換気装置１０４に対し赤外信号２９を送信すると換気装置１０４は運転し、煙を無検出になると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１３３】
なお、煙センサー２０は、室内の煙を検出できればよく、一例として赤外線や金属酸化半導体を用いたものなどがある。
【０１３４】
（実施の形態１１）
実施の形態１乃至１０と同一部分は同一符号を附し詳細な説明は省略する図１０に示すように、赤外リモコン２８内部に設けたマイコン１３にＣＯ2センサー２１と赤外信号を送出する赤外送信手段１５とＯＮ／ＯＦＦスイッチ１６が接続されている。
【０１３５】
上記構成により、前記ＣＯ2センサー２１の信号を前記マイコン１３が室内の二酸化炭素を検出し、検出濃度が１０００ｐｐｍ以上になると、前記マイコン１３は前記赤外送信手段１５に信号を送信し、赤外送信手段１５は換気装置１０４に対し赤外信号２９を送信すると換気装置１０４は運転し、検出濃度が１０００ｐｐｍ以下になると前記マイコン１３は赤外送信手段１５に信号を送信し、赤外送信手段１５は換気装置１０４に対し赤外信号２９を送信すると換気装置１０４は停止することとなり、換気装置１０４は赤外信号２９を受信する毎に運転と停止の動作を繰り返す。
【０１３６】
なお、ＣＯ2センサー２１は、室内の二酸化炭素の量を測定できればよく、一例として固体電解質型のＣＯ2センサーでもよい。
【０１３７】
なお、二酸化炭素検出濃度を一例としてビル管理法の１０００ｐｐｍとしたが、さまざまな環境により異なった値とする。
【０１３８】
（実施の形態１２）
実施の形態１乃至１１と同一部分は同一符号を附し詳細な説明は省略する図１１に示すように、赤外リモコン２８内部に設けたマイコン１３にＣＯセンサー２２と赤外信号を送出する赤外送信手段１５とＯＮ／ＯＦＦスイッチ１６が接続されている。
【０１３９】
上記構成により、ＣＯセンサー２２の信号を前記マイコン１３が室内の一酸化炭素を検出し、検出濃度が１０ｐｐｍ以上になると、前記マイコン１３は前記赤外送信手段１５に信号を送信し、前記赤外送信手段１５は換気装置１０４に対し赤外信号２９を送信すると換気装置１０４は運転し、検出濃度が１０ｐｐｍ以下になると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１４０】
なお、ＣＯセンサー２２は、室内の一酸化炭素の量を測定できればよく、一例として半導体型のＣＯセンサーでもよい。
【０１４１】
なお、一酸化炭素検出濃度を一例としてビル管理法の１０ｐｐｍとしたが、さまざまな環境により異なった値とする。
【０１４２】
（実施の形態１３）
実施の形態１乃至１２と同一部分は同一符号を附し詳細な説明は省略する図１２に示すように、赤外リモコン２８内部に設けたマイコン１３にＶＯＣセンサー２３と赤外信号を送出する赤外送信手段１５とＯＮ／ＯＦＦスイッチ１６が接続されている。
【０１４３】
上記構成により、前記ＶＯＣセンサー２３の信号を前記マイコン１３が室内のＶＯＣを検出し、検出濃度が０．０８ｐｐｍ以上になると、前記マイコン１３は前記赤外送信手段１５に信号を送信し、前記赤外送信手段１５は換気装置１０４に対し赤外信号２９を送信すると換気装置１０４は運転し、検出濃度が０．０８ｐｐｍ以下になると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１４４】
なお、ＶＯＣセンサー２３は、室内のＶＯＣの量を測定できればよく、一例として降雨分子薄膜型や抵抗変化型のＶＯＣセンサーでもよい。
【０１４５】
なお、ＶＯＣ検出濃度を一例としてビル管理法の０．０８ｐｐｍとしたが、さまざまな環境により異なった値とする。
【０１４６】
（実施の形態１４）
実施の形態１乃至１３と同一部分は同一符号を附し詳細な説明は省略する図１３に示すように、赤外リモコン２８内部に設けたマイコン１３に粉塵センサー２４と赤外信号を送出する赤外送信手段１５とＯＮ／ＯＦＦスイッチ１６が接続されている。
【０１４７】
上記構成により、光学式などの粉塵センサー２４の信号を前記マイコン１３が室内の粉塵を検出ると、前記マイコン１３は前記赤外送信手段１５に信号を送信し、前記赤外送信手段１５は換気装置１０４に対し赤外信号２９を送信すると換気装置１０４は運転し、煙を無検出になると前記マイコン１３は赤外送信手段１５に信号を送信し、赤外送信手段１５は換気装置１０４に対し赤外信号２９を送信すると換気装置１０４は停止することとなり、換気装置１０４は赤外信号２９を受信する毎に運転と停止の動作を繰り返す。
【０１４８】
（実施の形態１５）
実施の形態１乃至１４と同一部分は同一符号を附し詳細な説明は省略する図１４に示すように、赤外リモコン２８内部に設けたマイコン１３に湿度センサー２５と赤外信号を送出する赤外送信手段１５とＯＮ／ＯＦＦスイッチ１６が接続されている。
【０１４９】
上記構成により、湿度センサー２５の信号を前記マイコン１３が室内の湿度を検出し、検出濃度が５５％以上になると、前記マイコン１３は前記赤外送信手段１５に信号を送信し、前記赤外送信手段１５は換気装置１０４に対し赤外信号２９を送信すると換気装置１０４は運転し、検出濃度が５５％以下になると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１５０】
なお、湿度センサー２５は、室内の湿度を検出できればよく、一例として電気容量式湿度センサーを用いて室内の湿度を検出する。
【０１５１】
なお、検出湿度の５５％は一例であり、室内の大きさや地域環境により異なるものである。
【０１５２】
（実施の形態１６）
実施の形態１乃至１５と同一部分は同一符号を附し詳細な説明は省略する図１５に示すように、赤外リモコン２８内部に設けたマイコン１３に光センサー２６と赤外信号を送出する赤外送信手段１５とＯＮ／ＯＦＦスイッチ１６が接続されている。
【０１５３】
上記構成により、前記光センサー２６の信号を前記マイコン１３が室内の照明が点灯していることを検出ると、前記マイコン１３は前記赤外送信手段１５に信号を送信し、前記赤外送信手段１５は換気装置１０４に対し赤外信号２９を送信すると換気装置１０４は運転し、照明が消灯していることを検出すると前記マイコン１３は前記赤外送信手段１５に信号を送信し、前記赤外送信手段１５は換気装置１０４に対し赤外信号２９を送信すると換気装置１０４は停止することとなり、換気装置１０４は赤外信号２９を受信する毎に運転と停止の動作を繰り返す。
【０１５４】
なお、光センサー２６は、一例としてＣＤＳを用いて光を検出するものととして使用する。
【０１５５】
（実施の形態１７）
実施の形態１乃至１６と同一部分は同一符号を附し詳細な説明は省略する図１６に示すように、赤外リモコン２８内部に設けたマイコン１３にガスセンサー２７と赤外信号を送出する赤外送信手段１５とＯＮ／ＯＦＦスイッチ１６が接続されている。
【０１５６】
上記構成により、前記ガスセンサー２７の信号を前記マイコン１３が室内のガス量を検出ると、前記マイコン１３は前記赤外送信手段１５に信号を送信し、前記赤外送信手段１５は換気装置１０４に対し赤外信号２９を送信すると換気装置１０４は運転し、ガスを無検出になると前記マイコン１３は赤外送信手段１５に信号を送信し、赤外送信手段１５は換気装置１０４に対し赤外信号２９を送信すると換気装置１０４は停止することとなり、換気装置１０４は赤外信号２９を受信する毎に運転と停止の動作を繰り返す。
【０１５７】
なお、ガスセンサー２７は、室内のガスを検出できればよく、一例としてセラミック型あるいは半導体センサ−などがある。
【産業上の利用可能性】
【０１５８】
換気扇が赤外信号を受信すると運転および停止の動作を繰り返し、停止については、ディレーテイング時間を設け快適環境を創り出すことができる換気装置に適用できる。
【図面の簡単な説明】
【０１５９】
【図１】本発明の実施の形態１の構成図
【図２】本発明の実施の形態２、３の構成図
【図３】本発明の実施の形態４の構成図
【図４】本発明の実施の形態５の回路図
【図５】本発明の実施の形態６の回路図
【図６】本発明の実施の形態７の回路図
【図７】本発明の実施の形態８の構成図
【図８】本発明の実施の形態９の構成図
【図９】本発明の実施の形態１０の構成図
【図１０】本発明の実施の形態１１の構成図
【図１１】本発明の実施の形態１２の構成図
【図１２】本発明の実施の形態１３の構成図
【図１３】本発明の実施の形態１４の構成図
【図１４】本発明の実施の形態１５の構成図
【図１５】本発明の実施の形態１６の構成図
【図１６】本発明の実施の形態１７の構成図
【図１７】従来の換気扇の構成図
【符号の説明】
【０１６０】
１      制御手段
２      ファンモーター
３      商用電源
４      赤外線検出手段
５      乾電池
６      赤外ＬＥＤ
７      抵抗
８      スイッチ
９      赤外線
１０    他商品赤外リモコン
１１    読み込みスイッチ
１２    記憶装置
１３    マイコン
１４    センサー
１５    赤外送信手段
１６    ＯＮ／ＯＦＦスイッチ
１７    人感センサー
１８    温度センサー
１９    アンモニアセンサー
２０    煙センサー
２１    ＣＯ2センサー
２２    ＣＯセンサー
２３    ＶＯＣセンサー
２４    粉塵センサー
２５    湿度センサー
２６    光センサー
２７    ガスセンサー
２８    赤外リモコン
２９    赤外信号
１０１  赤外リモコン
１０２  スイッチ操作部
１０３  赤外線送信部
１０４  換気装置
１０５  赤外線検出手段
【図１】
2008281224.tif 000003
【図２】
2008281224.tif 000004
【図３】
2008281224.tif 000005
【図４】
2008281224.tif 000006
【図５】
2008281224.tif 000007
【図６】
2008281224.tif 000008
【図７】
2008281224.tif 000009
【図８】
2008281224.tif 000010
【図９】
2008281224.tif 000011
【図１０】
2008281224.tif 000012
【図１１】
2008281224.tif 000013
【図１２】
2008281224.tif 000014
【図１３】
2008281224.tif 000015
【図１４】
2008281224.tif 000016
【図１５】
2008281224.tif 000017
【図１６】
2008281224.tif 000018
【図１７】
2008281224.tif 000019